【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
温度調節ポリウレタンゲル組成物を製造する方法であって、：目的とする温度調節範囲のために選択されたポリオール成分および相変化材料（ＰＣＭ）から製造された混合物と、イソシアネート成分とを反応させて、前記温度調節ポリウレタンゲル組成物を形成し、
ここで前記流体は、１つ以上の長鎖ポリエーテルポリオールを含むポリオール成分によりゲルネットワークを膨張させ、前記イソシアネート成分は、１．５〜３．５の反応性官能価を有する１つ以上のイソシアネートを含み、
かつ、前記ＰＣＭはカプセル化なしに前記ポリウレタンゲルの流体相中に直接組み込まれること、を含み、
−  前記長鎖ポリエーテルポリオールは、０〜２５重量％のエチレンオキシド（ＥＯ）を有するアルキレンオキシドポリエーテルポリオール、すなわちプロピレンオキシド／エチレンオキシド−ポリエーテルポリオールであり、１９００を超える分子量（数平均）を有し、
−  前記ＰＣＭは、脂肪酸モノエステル（ＦＡＥ）およびその混合物からなる群から選択され、かつ
−  前記ポリオール成分と液体のもしくは溶融したＰＣＭを混合して相分離を起こすことなく、前記成分間で完全な混和性を有する単一相を得る、
ことを特徴とする、方法。
【請求項２】
０〜２５重量％のエチレンオキシドを有する前記アルキレンオキシド／エチレンオキシド−ポリエーテルポリオールが、前記ポリオール成分中に少なくとも６０重量％の量で存在することを特徴とする請求項１に記載の方法。
【請求項３】
前記アルキレンオキシドポリエーテルポリオールが、２０００を超える分子量（数平均）を有するプロピレンオキシド／エチレンオキシド−ポリエーテルポリオールであることを特徴とする請求項１または２に記載の方法。
【請求項４】
前記ポリエーテルポリオールが、少なくとも３の公称官能価を有することを特徴とする請求項１〜３の１項に記載の方法。
【請求項５】
前記ゲル成分のイソシアネート指数が２０〜７５であることを特徴とする請求項１〜４の１項に記載の方法。
【請求項６】
前記ゲル組成物を高圧射出成形機で成形して成形温度調節ゲル生成物を形成することを特徴とする請求項１〜５の１項に記載の方法。
【請求項７】
モールドが、層、好ましくはポリマーフィルムで裏打ちされ、前記成形ゲル生成物のカバー層を形成することを特徴とする請求項６に記載の方法。
【請求項８】
ポリウレタンゲル組成物のポリオール分散相内に直接組み込まれた、脂肪酸モノエステル（ＦＡＥ）およびその混合物からなる群から選択される非滲出性ＰＣＭを含む、請求項１〜７の１項に記載の方法で得られる温度調節ポリウレタンゲル組成物。
【請求項９】
相変化温度、すなわち、溶融温度と結晶化温度の両方が、示差走査熱量測定（ＤＳＣ）により測定した場合に、−２０℃〜＋５０℃、好ましくは２２℃〜３８℃であることを特徴とする請求項８に記載の温度調節ポリウレタンゲル組成物。
【請求項１０】
前記組成物が、好ましくはポリマー箔、織物または糸から作られる、カバー層により覆われるか、またはケーシング内に封入されることを特徴とする請求項８または９に記載の温度調節ポリウレタンゲル組成物。
【請求項１１】
前記組成物が物品に成形され、特にキャスティングされて層を形成し、モールド成形し、または支持体上に、好ましくは織物上に吹き付けて、テキスタイルフィッティングを形成することを特徴とする請求項８〜１０の１項に記載の温度調節ポリウレタンゲル組成物。
【請求項１２】
請求項８〜１１の１項に記載の温度調節ポリウレタンゲル組成物を含む物品。
【請求項１３】
前記ゲル組成物が、好ましくはポリウレタン系の、発泡体材料、熱可塑性材料、デュロメリック材料、エラストマー材料、および熱可塑性エラストマー、ならびに織物、天然の室内装飾材料、紙、厚紙、木材、金属およびガラスからなる群から好ましくは選択される、少なくとも１つの他の材料と組み合わせて、複合物品を形成することを特徴とする請求項１２に記載の物品。
【請求項１４】
前記物品全体が、好ましくはポリマー箔、織物または糸から作られる、カバー層によって覆われる、またはケーシング内に封入されることを特徴とする請求項１２または１３に記載の物品。
【請求項１５】
前記物品が、身体支持体、マット、寝具製品、枕、クッション、好ましくはマットレス；整形外科用物品、好ましくはパッドまたは湿布剤；好ましくはシート用、特に自転車シート用、背もたれまたは肘掛け用のパッドまたはパウチ；容器；バッグ；ジャケット；建材；電子ケーシング；ラミネート加工またはコーティング加工織物であることを特徴とする請求項１２〜１４の１項に記載の物品。
【請求項１６】
複数のポリウレタンゲル組成物が組み込まれ、前記組成物は、ＰＣＭの量および／または相変化温度が異なることを特徴とする請求項１２〜１５の１項に記載の物品。
【請求項１７】
身体の熱の生成または必要性に応じて、前記身体からの熱を吸収し、前記身体に熱を放出することができるポリウレタンゲルと接触して体を休ませている人体の温度調節に適応され、相変化温度、すなわち、溶融温度と結晶化温度の両方は、好ましくは睡眠の快適性を対象とする用途では示差走査熱量測定により測定した場合に、２２℃〜３８℃であることを特徴とする請求項１２〜１６の１項に記載の物品。
【請求項１８】
周囲からの熱を吸収し、周囲に熱を放出するための、請求項８〜１１の１項に記載の温度調節ゲル組成物または請求項１２〜１７の１項に記載の物品の使用であって、前記相変化温度、すなわち、溶融温度と結晶化温度の両方は、示差走査熱量測定により測定した場合に、−２０℃〜＋５０℃、好ましくは２２℃〜３８℃である、使用。
【手続補正２】
【補正対象書類名】明細書
【補正対象項目名】０１１３
【補正方法】変更
【補正の内容】
【０１１３】
（指数は表１参照）
以下に、本願の出願当初の請求項を実施の態様として付記する。
［１］  カプセル化なしにポリウレタンゲルの流体相中に直接組み込まれた相変化材料（ＰＣＭ）を含む温度調節ポリウレタンゲル組成物を製造する方法であって、次の工程、
（１）ポリウレタンゲルの製造のためのポリオール成分およびイソシアネート成分を選択し、提供する工程であって、ゲルネットワークを膨張させる流体は、前記ポリオール成分によって提供され、
前記イソシアネート成分は、１．５〜３．５の反応性官能価を有する１つ以上のイソシアネートを含み、前記ポリオール成分は、少なくとも３の公称官能価および０〜４０重量％のエチレンオキシド（ＥＯ）を有するエチレンオキシド含有アルキレンオキシドポリエーテルポリオールを１つ以上含む、工程；
（２）目的とする温度調節範囲のために液体または溶融ＰＣＭを準備する工程であって、前記ＰＣＭは、脂肪酸エステルおよびその混合物からなる群から選択される、工程；
（３）前記ポリオール成分と前記ＰＣＭとを両方とも液体状態で混合して、相分離を起こすことなく、前記成分間で完全な混和性を有する単一相を得る工程；および
（４）前記単一相ポリオール成分ＰＣＭ混合物と前記イソシアネート成分とを反応させて、前記温度調節ポリウレタンゲル組成物を形成する工程
を特徴とする、方法。
［２］  ０〜４０重量％のエチレンオキシドを有する前記アルキレンオキシド／エチレンオキシド−ポリエーテルポリオールが、前記ポリオール成分中に少なくとも６０重量％の量で存在することを特徴とする［１］に記載の方法。
［３］  前記アルキレンオキシドポリエーテルポリオールが、１９００を超える分子量を有するプロピレンオキシド／エチレンオキシド−ポリエーテルポリオールであることを特徴とする［１］または［２］に記載の方法。
［４］  前記ポリエーテルポリオールが、１０〜２５重量％のエチレンオキシドのエチレンオキシド含有量を含むことを特徴とする［１］〜［３］の１項に記載の方法。
［５］  前記ゲル成分のイソシアネート指数が２０〜７５であることを特徴とする［１］〜［４］の１項に記載の方法。
［６］  前記ゲル組成物を高圧射出成形機で成形して成形温度調節ゲル生成物を形成することを特徴とする［１］〜［５］の１項に記載の方法。
［７］  モールドが、層、好ましくはポリマーフィルムで裏打ちされ、前記成形ゲル生成物のカバー層を形成することを特徴とする［６］に記載の方法。
［８］  ポリウレタンゲル組成物のポリオール分散相内に直接組み込まれた、脂肪酸エステルおよびその混合物からなる群から選択される非滲出性ＰＣＭを含む、［１］〜［７］の１項に記載の方法で得られる温度調節ポリウレタンゲル組成物。
［９］  相変化温度、すなわち、溶融温度と結晶化温度の両方が、−２０℃〜＋５０℃、好ましくは２２℃〜３８℃であることを特徴とする［８］に記載の温度調節ポリウレタンゲル組成物。
［１０］  前記組成物が、好ましくはポリマー箔、織物または糸から作られる、カバー層により覆われるか、またはケーシング内に封入されることを特徴とする［８］または［９］に記載の温度調節ポリウレタンゲル組成物。
［１１］  前記組成物が物品に成形され、特にキャスティングされて層を形成し、モールド成形し、または支持体上に、好ましくは織物上に吹き付けて、テキスタイルフィッティングを形成することを特徴とする［８］〜［１０］の１項に記載の温度調節ポリウレタンゲル組成物。
［１２］  ［８］〜［１１］の１項に記載の温度調節ポリウレタンゲル組成物を含む物品。
［１３］  前記ゲル組成物が、好ましくはポリウレタン系の、発泡体材料、熱可塑性材料、デュロメリック材料、エラストマー材料、および熱可塑性エラストマー、ならびに織物、天然の室内装飾材料、紙、厚紙、木材、金属およびガラスからなる群から好ましくは選択される、少なくとも１つの他の材料と組み合わせて、複合物品を形成することを特徴とする［１２］に記載の物品。
［１４］  前記物品全体が、好ましくはポリマー箔、織物または糸から作られる、カバー層によって覆われる、またはケーシング内に封入されることを特徴とする［１２］または［１３］に記載の物品。
［１５］  前記物品が、身体支持体、マット、寝具製品、枕、クッション、好ましくはマットレス；整形外科用物品、好ましくはパッドまたは湿布剤；パッドまたはパウチ、好ましくはシート用、特に自転車シート用、背もたれまたは肘掛け用；容器；バッグ；ジャケット；建材；電子ケーシング；ラミネート加工またはコーティング加工織物であることを特徴とする［１２］〜［１４］の１項に記載の物品。
［１６］  複数のポリウレタンゲル組成物が組み込まれ、前記組成物は、ＰＣＭの量および／または相変化温度が異なることを特徴とする［１２］〜［１５］の１項に記載の物品。
［１７］  身体の熱の生成または必要性に応じて、前記身体からの熱を吸収し、前記身体に熱を放出することができるポリウレタンゲルと接触して体を休ませている人体の温度調節に適応され、相変化温度、すなわち、溶融温度と結晶化温度の両方は、好ましくは睡眠の快適性を対象とする用途では２２℃〜３８℃であることを特徴とする［１２］〜［１６］の１項に記載の物品。
［１８］  周囲からの熱を吸収し、周囲に熱を放出するための、［８］〜［１１］の１項に記載の温度調節ゲル組成物または［１２］〜［１７］の１項に記載の物品の使用であって、前記相変化温度、すなわち、溶融温度と結晶化温度の両方は、−２０℃〜＋５０℃、好ましくは２２℃〜３８℃である、使用。